(57)【要約】      （修正有）【課題】自転車全体の造形美を損なわないだけでなく、同時に走行中に足場を外部の衝撃から守る。【解決手段】足場を接合する自転車クッションスタッドパイプ２０は、前記クッションスタッドパイプを自転車フレーム１２のクッション接管１２２に嵌め込み、前記クッション接管の昇降につきクッション２２の高度を調整すると共に、クッションスタッドパイプの下端にさらにクッション接管に収納できる足場３０を連結し、前記足場はクッションスタッドパイプをクッション接管から下へ押し出して地面に当接し、自転車を止めて置くことができる。【選択図】図１
0003129624.tif 000002
【実用新案登録請求の範囲】
【請求項１】
クッションスタッドパイプは自転車フレームのクッション接管に嵌め込み、前記クッション接管の昇降につき、クッションの高度を調整する足場を接合する自転車クッションスタッドパイプにおいて、
前記クッションスタッドパイプの下端に足場を連結し、前記クッションスタッドパイプはクッション接管の調整につき、前記足場で地面を支えるように位置決めすることを特徴とする足場を接合する自転車クッションスタッドパイプ。
【請求項２】
前記足場はクッションスタッドパイプ下端にピボットする複数の支持足を含み、前記支持足はピボットして収納し、自転車フレームのクッション接管に収納されクッション接管を外に伸ばす時に展開し、複数箇所の支持形態を形成することを特徴とする請求項１に記載の足場を接合する自転車クッションスタッドパイプ。
【請求項３】
前記足場はさらに全ての支持足を広げる広げ部材を含むことを特徴とする請求項２に記載の足場を接合する自転車クッションスタッドパイプ。
【請求項４】
前記広げ部材はスプリングであることを特徴とする請求項３に記載の足場を接合する自転車クッションスタッドパイプ。
【請求項５】
前記クッションスタッドパイプ下端にトラニオン台座を設置しこれらの支持足をピボットして接続し、前記トラニオン台座上端に限定ブロックを設置し、これらの支持足の展開角度を限定することを特徴とする請求項２に記載の足場を接合する自転車クッションスタッドパイプ。
【考案の詳細な説明】
【技術分野】
【０００１】
本考案は自転車のクッションスタッドパイプに関し、特にクッションスタッドパイプを足場に接合し、前記足場を利用して自転車を止めて置く際のスタンド補助とするものである。
【背景技術】
【０００２】
自転車を止めて置く際の機能ニーズに基いて、自転車フレームに足場を据え付けて自転車のスタンドを補助する作用を達成する。
【０００３】
現在全ての足場は何れもフレーム後側若しくはフレーム中間点に接合した回転式足場を採用しているが、自転車を止めて置く際に足場を地面に支える位置に調整しさえすれば、自転車は足場の補助支持によって直立状態を維持できる。乗車の際は足場を中空位置まで調整すると、乗車時に足場が地面に接触して安全走行に影響を及ぼすということがないのである。
【０００４】
自転車の足場はその機能のニーズに基いて存在するが、足場が自転車の全体構造の設計にマッチしていなければ、足場はかなり際立った感がある。前述の美観的問題以外にも足場は走行中の激しい振動や衝撃を受けて部品が脱落或いは損壊する惧れがあり、また使用上でも効果的に位置決め出来ないという問題がある。
【考案の開示】
【考案が解決しようとする課題】
【０００５】
前記のフレームに附設した足場に存在する欠点に鑑みて、本考案の主な目的は自転車全体の造形美を損なわないだけでなく、同時に走行中に足場を外部の衝撃から守ることもできるということを提示する。
【課題を解決するための手段】
【０００６】
上記の目的を達成するために、本考案は足場をクッションスタッドパイプに接合する設計を提示し、本考案を実現する方法はクッションスタッドパイプの下端に自転車フレームのクッション接管内に収納する足場を連結することであり、前記足場は未使用の際、クッション接管に内蔵し保護され、自転車を止めて置く際には、足場はクッションスタッドパイプを通じてクッション接管から下へ押し出し地面に当接することで、自転車を止めて置くときのスタンド補助効果を達成できる。
【０００７】
下記の実施方式で本考案の詳細な特徴及び長所を詳細に述べるが、その内容については関係技術に熟知する者全てに、本考案の技術内容及びそれに基づく実施を理解足らしめるものであり、また本説明書が開示する内容、申請する特許範囲及び図式に基いて、関係技術に熟知する者全てが本考案に関連した目的及び長所を容易に理解できるものである。
【考案の効果】
【０００８】
本考案は、以上のように自転車全体の造形美を損なわないだけでなく、同時に走行中に足場を外部の衝撃から守ることもできるという効果を奏する。
【考案を実施するための最良の形態】
【０００９】
本考案の目的、構造、特徴及び機能の理解を深めるために、実施例と合わせて下記で詳細に説明する。
【００１０】
まず図１で示すように、図では自転車フレーム１２、前輪１４、後輪１６、ハンドル部１８及びクッション２２に接合したクッションスタッドパイプ２０を含む一台の自転車１０を開示している。図示するように、クッションスタッドパイプ２０は上端にクッション２２を接合するほかに、下端にも同時に足場３０を接合している。
【００１１】
クッションスタッドパイプ２０はフレーム１２のクッション接管１２２内に嵌め込み、クッション接管１２２の昇降につきクッション２２の高さを調節する。クッションスタッドパイプ２０がクッション接管１２２の調節につき図２（Ａ）が示す位置に位置決めすると、クッションスタッドパイプ２０の下端に連結した足場３０はクッション接管１２２に内蔵される。クッションスタッドパイプ２０はクッション接管１２２の調節につき、図２（Ｂ）が示す位置に位置決めされると、クッションスタッドパイプ２０の下端に連結した足場３０はクッション接管１２２下方に伸びて地面に当接する。
【００１２】
前述の足場３０はクッションスタッドパイプ２０の下端にピボットする複数の支持足３２を含み、前記支持足３２はピボットしてクッション接管１２２内に収納され、またクッション接管１２２を外に伸ばすと自動的に広がって地面に複数箇所の支持形態を形成する。
【００１３】
図３は足場を接合するクッションスタッドパイプの局部拡大概略図であるが、図示するように、クッションスタッドパイプ２０の下端にはトラニオン台座２４を取り付け、複数の支持足３２を具備した足場３０とピボットして連結し、これによって支持足３２は収納及び展開できる。このほかに、足場３０はさらに全ての支持足３２を広げるのに用いる広げ部材３４を含むが、本実施例では足場３０は２個の支持足３２を含み、広げ部材３４はスプリングであって、スプリングは２個の支持足３２の間に取り付けられ、２個の支持足３２を広げる機能を提供し、足場３０がクッション接管１２２から伸びると、２個の支持足３２はスプリングによって押し出されて自動的に広がるのである。
【００１４】
このほかに、クッションスタッドパイプ２０の下端に取り付けたトラニオン台座２４には限定ブロック２４２が具えられ、限定ブロック２４２は２個の支持足３２の展開角度を制限するストッパー面２４４、２４６を提供する。
【００１５】
上記の説明から、自転車１０を止めて置く際に、図４で示すように、足場３０はクッションスタッドパイプ２０が下降調整動作によりフレーム１２のクッション接管１２２の下方に伸びて地面に当接し、自転車を直立させる補助支持効果が達成できる。またこれと反対に、自転車１０に乗車走行する際は、図５で示すように、クッションスタッドパイプ２０が上昇する動作を利用して足場３０をフレーム１２のクッション接管１２２内に収納して、足場をクッション接管１２２に内蔵することで保護されるのである。
【００１６】
本考案のクッションスタッドパイプ２０が接合する足場３０は、未使用の状態の時はクッション接管１２２に内蔵されるので、自転車全体の造形美を損なわないだけでなく、同時に走行中に足場を外部の衝撃から守ることもできる。
【００１７】
本考案の好ましい実施例は上記に開示しているが、決してこれを以って本考案を限定するものではない。また本考案の趣旨及びその範囲を逸脱しないで為された改変並びに補正は、何れも本考案の特許の保護範囲に属する。本考案で定めた保護範囲は添付した特許申請の範囲を参考とする。
【図面の簡単な説明】
【００１８】
【図１】本考案の自転車に使用する足場を接合するクッションスタッドパイプの立体図である。
【図２Ａ】図２Ａは、本考案の足場を接合するクッションスタッドパイプで、自転車フレームのクッション接管につき異なった位置に変更した際の使用状態を示す図である。
【図２Ｂ】図２Ｂは、本考案の足場を接合するクッションスタッドパイプで、自転車フレームのクッション接管につき異なった位置に変更した際の使用状態を示し、支持足を展開した場合を示す図である。
【図３】本考案の足場を接合するクッションスタッドパイプの局部拡大概略図である。
【図４】本考案の自転車に使用する足場を接合するクッションスタッドパイプの側面図で、足場が自転車フレームの外に出ている使用状態である。
【図５】本考案の自転車に使用する足場を接合するクッションスタッドパイプの側面図で、足場が自転車フレーム内に収納されている使用状態である。
【符号の説明】
【００１９】
１０  自転車
１２  自転車フレーム
１２２  クッション接管
１４  前輪
１６  後輪
１８  ハンドル部
２０  クッションスタッドパイプ
２２  クッション
２４  トラニオン台座
２４２  限定ブロック
２４４、２４６  ストッパー面
３０  足場
３２  支持足
３４  広げ部材
【図１】
0003129624.tif 000003
【図２Ａ】
0003129624.tif 000004
【図２Ｂ】
0003129624.tif 000005
【図３】
0003129624.tif 000006
【図４】
0003129624.tif 000007
【図５】
0003129624.tif 000008